(57)【要約】【課題】既設の器具における機械式施錠手段を電子的に補強する電子ロック装置を提供すること。【解決手段】電子鍵によりデッドボルト２１２を出入させて施錠、解錠する電子錠２００と、施錠を要する器具の機械鍵であって、前記電子錠のデッドボルトが出入する空間１２３および前記機械鍵を操作するためのつまみを持った本体１２６に組み込まれた鍵１００と、前記電子錠および前記鍵を相互に係合した形で前記器具に取り付ける係合手段１２１と、をそなえた電子ロック装置。【選択図】図１
2010037720.tif 000002
【特許請求の範囲】
【請求項１】
電子鍵によりデッドボルトを出入させて施錠、解錠する電子錠と、
施錠を要する器具の機械鍵であって、前記電子錠のデッドボルトが出入する空間および前記機械鍵を操作するためのつまみを持った本体に組み込まれた鍵装置と、
前記電子錠および前記鍵を相互に係合した形で前記器具に取り付ける係合手段と、
をそなえた電子ロック装置。
【請求項２】
請求項１記載の電子ロック装置において、
前記係合手段は、前記本体の周縁に設けられたフランジとして形成されたことを特徴とする電子ロック装置。  
【請求項３】
請求項１記載の電子ロック装置において、
前記係合手段は、前記電子錠に固定される台座部および前記鍵装置に係合する延び出し部を有することを特徴とする電子ロック装置。
【請求項４】
請求項１記載の電子ロック装置において、
前記本体は、前記鍵装置を前記電子錠に対して任意の角度をなすように取り付け得る複数の溝を持ったことを特徴とする電子ロック装置。
【請求項５】
請求項１記載の電子ロック装置において、
前記本体は、前記鍵装置に被せるキャップ形であることを特徴とする電子ロック装置。
【発明の詳細な説明】
【技術分野】
【０００１】
本発明は、対象器具に取り付けて電子的に施錠、解錠を行う電子ロック装置に係わり、とくに対象器具の機械錠を電子的にロックする装置に関する。
【背景技術】
【０００２】
例えばロッカとかキャビネット等の収納器具または什器に電子的に施錠する装置が提供されている（特許文献１，２参照）。一方、既設の収納器具であって機械式の錠が設けられたもののセキュリティ性能を向上しようとすると、更に機械式錠前とか、電子式錠前を増設して二重化することとなる。
【特許文献１】特開2004-250954号公報
【特許文献２】特開2007-239176号公報
【発明の開示】
【発明が解決しようとする課題】
【０００３】
上記のような増設は、ときには大掛かりな工事を必要とし、簡便に設置することができない。
【０００４】
本発明は上述の点を考慮してなされたもので、既設の器具における機械式施錠手段に電子錠と同程度のセキュリティ性を持たせた電子ロック装置を提供することを目的とする。
【課題を解決するための手段】
【０００５】
上記目的達成のため、本発明では、
電子鍵によりデッドボルトを出入させて施錠、解錠する電子錠と、
施錠を要する器具の機械鍵であって、前記電子錠のデッドボルトが出入する空間および前記機械鍵を操作するためのつまみを持った本体に組み込まれた鍵装置と、
前記電子錠および前記鍵装置を相互に係合した形で前記器具に取り付ける係合手段と、
をそなえた電子ロック装置、
を提供する。
【発明の効果】
【０００６】
本発明は上述のように、既設器具に備わる機械錠を電子錠で拘束する電子ロック装置として構成されているため、いわゆる外付けで簡便に高度のセキュリティを有する施錠装置を提供することができる。
【発明を実施するための最良の形態】
【０００７】
以下、添付図面を参照して本発明の実施の形態を説明する。  
【実施例１】
【０００８】
図１(a),(b),(c)は、本発明の第1の実施例の構成を示す平面図、左側面図および底面図である。
【０００９】
図１は、例えばキャビネットのような、機械式施錠機構を持った開閉扉を有する収納庫１０における、収納庫本体１１と扉１２との施錠機構に、本発明を適用した状態を示している。
【００１０】
図１(a)は収納庫を正面から見た状態を、図1(b)はその下方から見た状態を、また図１(c)は左側面から見た状態をそれぞれ示している。
【００１１】
この実施例１は、機械錠１００の機械鍵１１０を電子錠２００のデッドボルトによってロックしたりアンロックしたりするため、機械鍵１１０に、電子錠２００と関連付けるための、フランジ１２１、つまみを持った本体１２２、およびデッドボルト受け部１２３が設けられている。
【００１２】
フランジ１２１は、電子錠２００の筐体と一部が重なり合っており、電子錠２００を取り外さない限り、機械錠１００は収納庫１０から外れることがないように係合関係を形成している。
【００１３】
つまみ部１２２は、図示では施錠状態の角度位置であり、このときデッドボルト受け部１２３は図示右側にあり、このデッドボルト受け部１２３にデッドボルト２１２の先端が入り込んだ状態になっている。
【００１４】
ここで、電子錠２００は、筐体の正面中央部の下方に起動ボタン２１１が、左上隅部から外に向かって突出したデッドボルト２１２が、そして右上に動作状態を表示するＬＥＤが設けられており、起動ボタン２１１に電子鍵２２０を当接させると施錠、解錠を交番的に繰り返す。施錠時はデッドボルト２１２を突出させて鍵装置１００を回動操作できないようにし、解錠時はデッドボルト２１２を引き込ませて機械錠１００を回動操作できるようにする。
【００１５】
したがって、機械錠１００は、図示しない錠機構部分は既設のものをそのまま利用するが、機械錠１００を施錠、解錠する鍵装置は、電子錠２００と協働させるための改造がなされている。すなわち、第１点は、電子錠の筐体を利用した取り外し防止構造とするためにフランジ１２１を設けることであり、第２点は、機械錠１００の回動を拘束するために電子錠２００のデッドボルト２１２を受け入れるデッドボルト受け部１２３を設けることである。
【００１６】
一方、機械錠１００と協働する電子錠２００は、電子鍵２２０を起動ボタン２１１に当接させてデッドボルト２１２を筐体から出入させる点は、一般的な構造および機能であるが、本発明では、さらに収納庫１０への取り付け構造で機械錠１００との関連性を持たせた構成とする。
【００１７】
すなわち、図１(b)に示すように、台座２３１を介在させて留めねじ２３２により電子錠２００を扉１２から若干浮かせて固定することにより、電子錠２００と扉１２との間にフランジ１２１が入り込む隙間を形成し、かつデッドボルト２１２の露出部分が極力少なくなるように機械錠１００と電子錠２００との間の隙間を少なくする。台座２３１は、重ね枚数を調節してフランジ１２１が入り込む隙間の大きさを調節してもよい。
【００１８】
なお、電子錠２００は、電池駆動方式であるため、電池カバー２１４が設けられ、また開閉データを通信するためのコネクタ２１５を有する。
【００１９】
このような構成により、図示の状態では、電子錠２００のデッドボルト２１２が筐体から突出して機械錠１００の機械鍵１１０を回動できないように拘束している。このため、高度のセキュリティ性を持った施錠状態となっている。
【００２０】
次に、解錠するには、まず電子鍵２２０を電子錠２００の起動ボタン２１１に当接させてデッドボルト２１２を筐体内に引き込ませる。この結果、機械錠１００は解錠のための回動操作を行うことができるようになる。
【００２１】
したがって、実施例１によれば、既設の機械錠式収納庫を電子錠式のセキュリティレベルで開閉を行う収納庫として利用することができる。このため、機械錠では得られない高度のセキュリティ機能を持った電子ロック装置を提供でき、しかも施錠、解錠の記録データを得ることもできる。
【実施例２】
【００２２】
図２(a)，(b),(c)は、本発明の第２の実施例の構成を示す平面図、左側面図および底面図である。この実施例２は、実施例１におけるフランジ１２１に換えて、台座２３１から延び出した抜け止めリング部２３１Ａにより機械錠１００の抜け止めとする。これに対応させて、機械錠１００には、抜け止めリング部２３１Ａを係合させるための係合溝１２４を設ける。
【００２３】
図３(a)，(b)は、この抜け止めリング部２３１Ａの部分を拡大図示したものである。抜け止めリング部２３１Ａは、台座２３１の一隅から突出しており、小判型（長円形）の孔が開けられている。
【００２４】
この孔は、機械錠１００の係合溝１２４に係合させるために、係合溝１２４の底面が形成する弧に適合するような短径で、長径は係合溝１２４の寸法に対して余裕を持たせてある。
【００２５】
その理由は、機械錠１００の取り付け作業の都合による。つまり、機械錠１００を抜け止めリング部２３１Ａに係合させる際、台座２３１は固定しないでおき、電子錠２００の筐体端部から少々引き出した状態にして機械錠１００を差し込む。次いで、台座２３１を電子錠２００に向けて引き戻し、機械錠１００と電子錠２００との間に余分な隙間がないような位置にしてから、台座２３１をねじ留めする。
【００２６】
再び図２に戻って説明すると、台座２３１の抜け止めリング部２３１Ａに機械錠１００を組み合わせるために、抜け止めリング部２３１Ａは台座２３１から外方に突出しているのみならず、厚み方向に屈曲した部分を持ったものでもある。係合溝１２４の位置に、抜け止めリング部２３１Ａの厚み方向の位置を合わせるためである。
【実施例３】
【００２７】
図４(a),(b),(c)は、本発明の第3の実施例の構成を示す正面図、底面図および左側面図である。この実施例３は、機械錠１００に対して任意の角度からデッドボルト２１２を出入させ得るように、機械錠１００に対する機械鍵１１０の差込み溝を複数設けたものである。図示の場合、機械錠１００の本体１２６には、４５度間隔で４つの方向の差込み溝１２５が設けられている。そして、この差込み溝１２５への機械鍵１１０の差込み後に、図示しない固定ピンによって機械鍵１１０をつまみ部１２２に固定する。
【００２８】
このため、図示の状態を機械鍵１１０と電子錠２００との角度が0度であるとすると、４５度、９０度、１３５度および１８０度の４種類の角度関係から一つを選ぶことができる。
【００２９】
このため、機械錠１００が収納庫の隅に設けられていて電子錠２００を取り付けるための広さを持った面が得難い状況でも、機械鍵１１０の差込む溝１２５を選んで機械鍵１１０と電子錠２００との角度関係を選べば、機械錠１００と電子錠２００との角度関係をかなり自由に設定することができる。また、この実施例３では、本体１２６を機械鍵１１０が貫通するのみの単純化された構造にしているため、機械錠１００の外形が小型にできる。
【００３０】
図５(a),(b),(c)は、本発明の第４の実施例を示した縦断面図、横断面図および平面図である。この実施例４は、実施例３の変形例であり、機械錠１００の本体１２６を、機械鍵１１０の基部をすっぽりと覆うように被せるキャップ状に形成している。
【００３１】
そして、本体１２６は、２段構成とし、フランジ１２１側が大径部であり、頂部側が小径部である。この２段構成は、電子錠２００の電池カバーがスライド式であり、電池カバーを開けるための逃げを設ける必要により採用されたものである。
【変形例】
【００３２】
上記実施例１ないし３では、本発明を実施するための代表的な例だけを示したが、これらを適宜組み合わせて実施することもできる。
【図面の簡単な説明】
【００３３】
【図１】図１(a),(b),(c)は、本発明の第1の実施例の構成を示す平面図、左側面図および底面図。
【図２】図２(a)，(b)および(c)は、本発明の第２の実施例の構成を示す平面図、左側面図および底面図。
【図３】図３(a)，(b)は、この抜け止めリング部２３１Ａの部分の拡大平面図。
【図４】図４(a)，(b)および(c)は、本発明の第３の実施例の構成を示す正面図、底面図および左側面図。
【図５】図５(a),(b)および(c)は、本発明の第４の実施例を示した縦断面図、横断面図および平面図。
【符号の説明】
【００３４】
１０  収納庫
１１  収納庫本体
１２  扉
１００  機械錠
１１０  機械鍵
１２１  フランジ
１２２  つまみ部
１２３  受け部
１２４  係合溝
１２５  差込み溝
１２６  本体
２００  電子錠
２１１  起動ボタン
２１２  デッドボルト
２１３  ＬＥＤ
２１４  電池カバー
２１５  通信コネクタ
２３１  台座
２３１Ａ  抜け止めリング部
２３２  留めねじ
【図１】
2010037720.tif 000003
【図２】
2010037720.tif 000004
【図３】
2010037720.tif 000005
【図４】
2010037720.tif 000006
【図５】
2010037720.tif 000007